(57)【特許請求の範囲】
【請求項１】
周囲の照度を検出する第一照度センサーを有し、前記第一照度センサーの検出結果とともに操作指示を送信するリモコンで操作可能な投影装置であって、
画像を投影する投影部と、
前記リモコンからの信号を受信する第一受信部と、
前記リモコンからの信号を受信する第二受信部と、
前記リモコンからの信号の受信を、前記第一受信部又は前記第二受信部のどちらで受信したかを判定する判定部を有し、前記第一受信部若しくは前記第二受信部で受信した信号に基づいて前記投影部を制御する制御部と、
前記投影部、前記第一受信部、前記第二受信部及び前記制御部を収容する筐体と、
前記筐体周辺の照度を検出する第二照度センサーと、
を備え、
前記第一受信部は前記筐体の、前記投影部によって画像を投影する側である投影側に配置されるとともに、前記第二受信部は前記筐体の前記投影側とは反対側に配置されていて、
前記制御部は、
前記リモコンからの信号が前記第一受信部で受信された場合には、前記第一照度センサーの検出結果に基づいて前記投影部の照度を制御し、
前記リモコンからの信号が前記第二受信部で受信された場合には、前記第二照度センサーの検出結果に基づいて前記投影部の照度を制御することを特徴とする投影装置。
【請求項２】
請求項１記載の投影装置において、
前記制御部は、
前記リモコンからの信号が前記第一受信部で受信されたにも関わらず、前記信号に前記第一照度センサーの検出結果が存在していない場合には、前記第二照度センサーの検出結果に基づいて前記投影部の照度を制御することを特徴とする投影装置。
【請求項３】
請求項１又は２記載の投影装置において、
前記第二照度センサーを無効にする切替部を備え、
前記制御部は、
前記切替部により前記第二照度センサーが無効になっている場合には、前記第一照度センサーの検出結果に基づいて前記投影部の照度を制御することを特徴とする投影装置。
【請求項４】
リモコンと、前記リモコンで操作可能な投影装置とを備える投影システムにおいて、
前記リモコンは、当該リモコンの周囲の照度を検出する第一照度センサーを有し、前記第一照度センサーの検出結果とともに操作指示を送信し、
前記投影装置は、
画像を投影する投影部と、
前記リモコンからの信号を受信する第一受信部と、
前記リモコンからの信号を受信する第二受信部と、
前記リモコンからの信号の受信を、前記第一受信部又は前記第二受信部のどちらで受信したかを判定する判定部を有し、前記第一受信部若しくは前記第二受信部で受信した信号に基づいて前記投影部を制御する制御部と、
前記投影部、前記第一受信部、前記第二受信部及び前記制御部を収容する筐体と、
前記筐体周辺の照度を検出する第二照度センサーと、
を備え、
前記第一受信部は前記筐体の、前記投影部によって画像を投影する側である投影側に配置されるとともに、前記第二受信部は前記筐体の前記投影側の反対側に配置されていて、
前記制御部は、
前記リモコンからの信号が前記第一受信部で受信された場合には、前記第一照度センサーの検出結果に基づいて前記投影部の照度を制御し、
前記リモコンからの信号が前記第二受信部で受信された場合には、前記第二照度センサーの検出結果に基づいて前記投影部の照度を制御することを特徴とする投影システム。
【請求項５】
請求項４記載の投影システムにおいて、
前記制御部は、
前記リモコンからの信号が前記第一受信部で受信されたにも関わらず、前記信号に前記第一照度センサーの検出結果が存在していない場合には、前記第二照度センサーの検出結果に基づいて前記投影部の照度を制御することを特徴とする投影システム。
【請求項６】
請求項４又は５記載の投影システムにおいて、
前記投影装置は、前記第二照度センサーの有効／無効を切り替える切替部を備え、
前記制御部は、
前記切替部により前記第二照度センサーが無効になっている場合には、前記第一照度センサーの検出結果に基づいて前記投影部の照度を制御することを特徴とする投影システム。
【請求項７】
請求項４〜６のいずれか一項に記載の投影システムにおいて、
前記リモコンは、
操作ボタンと、
前記操作ボタンが操作されたことに基づく信号を出力する発信部と、
前記操作ボタン及び前記発信部を格納するケース部とを備え、
前記操作ボタンは、前記ケース部の一面に配置されていて、
前記発信部は、前記ケース部の一端部に配置されていて、
前記第一照度センサーは、前記ケース部の一面であって、前記操作ボタンと前記発信部との間に配置されていることを特徴とする投影システム。
【発明の詳細な説明】
【技術分野】
【０００１】
本発明は、投影装置及び投影システムに関する。
【背景技術】
【０００２】
従来、例えばプロジェクターなどの投影装置においては、プロジェクターの筐体の天面に照度センサーを設けて、その照度センサーで得た照度に基づいて投影画像の明るさを調整する投影装置が知られている（例えば特許文献１参照）。
【先行技術文献】
【特許文献】
【０００３】
【特許文献１】特開２００６−３０４３１６号公報
【発明の概要】
【発明が解決しようとする課題】
【０００４】
ところで、スクリーン上の投影画像は、スクリーン近傍の環境光に影響されてしまうのが実状である。このため、上述した投影装置のように筐体に設けられた照度センサーの検出結果に基づいて投影画像の明るさを調整したとしても、投影装置近傍とスクリーン近傍との明るさに大きく差があった場合には、スクリーン上の投影画像が見えにくくなってしまうおそれがあった。
そこで本発明の課題は、極力スクリーン近傍の環境に応じて投影画像の明るさを調整することのできる投影装置及び投影システムを提供することである。
【課題を解決するための手段】
【０００５】
以上の課題を解決するため、本発明の一の態様によれば、
周囲の照度を検出する第一照度センサーを有し、前記第一照度センサーの検出結果とともに操作指示を送信するリモコンで操作可能な投影装置であって、
画像を投影する投影部と、
前記リモコンからの信号を受信する第一受信部と、
前記リモコンからの信号を受信する第二受信部と、
前記リモコンからの信号の受信を、前記第一受信部又は前記第二受信部のどちらで受信したかを判定する判定部を有し、前記第一受信部若しくは前記第二受信部で受信した信号に基づいて前記投影部を制御する制御部と、
前記投影部、前記第一受信部、前記第二受信部及び前記制御部を収容する筐体と、
前記筐体周辺の照度を検出する第二照度センサーと、
を備え、
前記第一受信部は前記筐体の、前記投影部によって画像を投影する側である投影側に配置されるとともに、前記第二受信部は前記筐体の前記投影側とは反対側に配置されていて、
前記制御部は、
前記リモコンからの信号が前記第一受信部で受信された場合には、前記第一照度センサーの検出結果に基づいて前記投影部の照度を制御し、
前記リモコンからの信号が前記第二受信部で受信された場合には、前記第二照度センサーの検出結果に基づいて前記投影部の照度を制御することを特徴とする投影装置が提供される。
【０００６】
また、本発明の他の態様によれば、
リモコンと、前記リモコンで操作可能な投影装置とを備える投影システムにおいて、
前記リモコンは、当該リモコンの周囲の照度を検出する第一照度センサーを有し、前記第一照度センサーの検出結果とともに操作指示を送信し、
前記投影装置は、
画像を投影する投影部と、
前記リモコンからの信号を受信する第一受信部と、
前記リモコンからの信号を受信する第二受信部と、
前記リモコンからの信号の受信を、前記第一受信部又は前記第二受信部のどちらで受信したかを判定する判定部を有し、前記第一受信部若しくは前記第二受信部で受信した信号に基づいて前記投影部を制御する制御部と、
前記投影部、前記第一受信部、前記第二受信部及び前記制御部を収容する筐体と、
前記筐体周辺の照度を検出する第二照度センサーと、
を備え、
前記第一受信部は前記筐体の、前記投影部によって画像を投影する側である投影側に配置されるとともに、前記第二受信部は前記筐体の前記投影側の反対側に配置されていて、
前記制御部は、
前記リモコンからの信号が前記第一受信部で受信された場合には、前記第一照度センサーの検出結果に基づいて前記投影部の照度を制御し、
前記リモコンからの信号が前記第二受信部で受信された場合には、前記第二照度センサーの検出結果に基づいて前記投影部の照度を制御することを特徴とする投影システムが提供される。
【発明の効果】
【０００７】
本発明によれば、極力スクリーン近傍の環境に応じて投影画像の明るさを調整することが可能となる。
【図面の簡単な説明】
【０００８】
【図１】本実施形態のリモコンの概略構成を示す模式図である。
【図２】本実施形態の投影装置としてのプロジェクターの概略構成を示す模式図である。
【図３】図１のリモコンの主制御構成を示すブロック図である。
【図４】図１のリモコンの操作ボタンからの出力信号と、第一照度センサーからの出力信号とを出力する際の説明図である。
【図５】図２のプロジェクターの主制御構成を示すブロック図である。
【図６】本実施形態に係るプロジェクターで実行される照度調整プログラムの流れを示すフローチャートである。
【図７】本実施形態に係るプロジェクターで実行される照度調整プログラムの流れを示すフローチャートである。
【図８】本実施形態に係る第一受信部で受信した送信信号をプロジェクター内で分割する際の説明図である。
【図９】本実施系に係る第二受信部で受信した送信信号をプロジェクター内で分割する際の説明図である。
【発明を実施するための形態】
【０００９】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１０】
図１は本実施形態のリモコンの概略構成を示す模式図であり、図２は本実施形態の投影装置としてのプロジェクターの概略構成を示す模式図である。これらリモコン３とプロジェクター１とによって投影システム１００が構成されている。
【００１１】
まず、リモコン３について説明する。
図２に示すようにリモコン３には、複数の操作ボタン３１と、操作ボタン３１が操作されたことに基づく信号を出力する発信部３２と、リモコン３の周囲の照度を検出する第一照度センサー３３と、これらを格納するケース部３４とが設けられている。複数の操作ボタン３１は、ケース部３４の一面に配置されている。また、発信部３２は、ケース部３４の一端部に配置されている。そして、第一照度センサー３３は、ケース部３４の一面であって、複数の操作ボタン３１と発信部３２との間に位置するように、発信部３２が配置された一端部側に配置されている。
【００１２】
図３は、リモコン３の主制御構成を示すブロック図である。図３に示すように、リモコン３の制御部３５には、複数の操作ボタン３１、第一照度センサー３３及び発信部３２が電気的に接続されている。複数の操作ボタン３１には、それぞれ異なる操作指示が割り当てられていて、操作ボタン３１が押下されることにより各操作ボタン３１の操作指示に基づく信号が制御部３５に出力される。ここで、操作ボタン３１が押下されると、当該押下に連動して第一照度センサー３３からもその押下時の検出結果が制御部３５に出力される。
【００１３】
図４は、操作ボタン３１からの出力信号と、第一照度センサー３３からの出力信号とを出力する際の例を説明する説明図である。図４に示すように、第一照度センサー３３から出力される信号には、先に出力される第一信号と後に出力される第二信号とがある。第一信号は、その後に第二信号がくることを示す識別信号である。第二信号は第一照度センサー３３の検出結果に基づく信号である。本実施形態では、操作ボタン３１からの出力信号、第一照度センサー３３からの出力信号であって第二信号がくることを示す第一信号、第一照度センサー３３からの出力信号であって第一照度センサー３３の検出結果に基づく第二信号が順に送信されることになる。
制御部３５は、操作ボタン３１と第一照度センサー３３とのそれぞれから同時期に信号が入力されると、第一照度センサー３３側の信号を遅らせて、操作ボタン３１の信号と複合し、一体化した送信信号を発信部３２からプロジェクター１に送信する。これにより、第一照度センサー３３の検出結果と操作指示とがプロジェクター１に送信される。
なお、操作ボタン３１の押下時に、例えば第一照度センサー３３が操作者の手で覆われているなどのなんらかの不都合により第一照度センサー３３で周囲の照度を検出できなかった場合には、操作ボタン３１の出力信号のみが発信部３２からプロジェクター１に送信される。
【００１４】
次にプロジェクター１について詳細に説明する。
図２に示すように、プロジェクター１には、筐体１１と、筐体１１の一面からスクリーンＳに向けて画像を投影する投影部１２と、リモコン３からの信号を受信する第一受信部１３と、リモコン３からの信号を受信する第二受信部１４と、筐体１１周辺の照度を検出する第二照度センサー１５と、ユーザーの操作に基づき第二照度センサー１５の有効／無効を切り替える例えばスイッチからなる切替部１７と、が備えられている。第一受信部１３は、筐体１１の正面側（投影側）の一面に配置されている。第二受信部１４及び切替部１７は、筐体１１の裏面側の一面に配置されている。これにより、第一受信部１３はプロジェクター１の画像を投影する側である正面側からの信号を受信することができ、第二受信部１４はプロジェクター１の投影側とは反対側の裏面側からの信号を受信することができる。
また、第二照度センサー１５は筐体１１の上面に配置されており、筐体１１の上方の照度を検出することができるようになっている。
【００１５】
図５は、プロジェクター１の主制御構成を示すブロック図である。図５に示すようにプロジェクター１には、外部機器２００が接続される接続部１６と、外部機器２００から接続部１６を介して入力された画像信号に基づく画像を生成し、投影する投影部１２と、第一受信部１３と、第二受信部１４と、切替部１７と、これらを制御する制御部１８とが筐体１１に収容されて備えられている。
投影部１２は、画像を生成する表示素子と、表示素子に対して光を照射する光源と、光源から表示素子を透過した光をスクリーンＳ上に投影するためのレンズ群とを備えている。
【００１６】
制御部１８は、ＣＰＵ１９、ＲＡＭ２０、ＲＯＭ２１を備えており、ＣＰＵ１９がＲＯＭ２１内の制御プログラム、制御データをＲＡＭ２０に展開することで各部を制御するようになっている。例えば、制御プログラムとしては、投影部１２の照度を調整するための照度調整プログラム等がある。
【００１７】
図６及び図７は、照度調整プログラムの流れを示すフローチャートである。
制御部１８は、プロジェクター１の電源ＯＮとともに照度調整プログラムを実行する。
ステップＳ１では、制御部１８は、切替部１７によって第二照度センサー１５が無効になっているか否かを判断し、無効の場合にはステップＳ８に移行し、有効の場合にはステップＳ２に移行する。
【００１８】
ステップＳ２では、制御部１８は、リモコン３からの送信信号を受信したか否かを判断し、受信した場合にはステップＳ３に移行し、受信していない場合にはステップＳ６に移行する。
【００１９】
ステップＳ３では、制御部１８は、リモコン３からの送信信号の受信を第一受信部１３で行ったか否かを判断し、第一受信部１３で受信した場合にはステップＳ４に移行し、第一受信部１３ではなく第二受信部１４で受信した場合にはステップＳ６に移行する。
【００２０】
ステップＳ４では、制御部１８は、受信した送信信号に第一照度センサー３３の出力信号が含まれているか否かを判断し、含まれている場合にはステップＳ５に移行し、含まれていない場合にはステップＳ６に移行する。
【００２１】
ステップＳ５では、制御部１８は、第一照度センサー３３の検出結果に基づいて投影部１２の光源の光量を調整することで、投影部１２による投影画像の照度を調整する。図８は、第一受信部１３で受信した送信信号をプロジェクター１内で分割する際の例を説明する説明図である。図８に示すように、制御部１８は、第一受信部１３で受信した送信信号を観察して、続いて第二信号がくることを示す識別信号である第一信号を検知することで、この第一信号の前の信号は操作ボタン３１からの出力信号であり、この第一信号の後の信号は第一照度センサー３３の検出結果に基づく第二信号であると判別し、操作ボタン３１から出力された信号と、第一照度センサー３３から出力された信号とに分割し、前者を操作指示に用い、後者を照度調整に用いる。これにより、リモコン３周辺の照度に基づいて投影部１２の照度が調整されることになる。その後、制御部１８は、調整後の照度を維持したままステップＳ７に移行する。
【００２２】
ステップＳ６では、制御部１８は、第二照度センサー１５の検出結果に基づいて投影部１２の光源の光量を調整することで、投影部１２による投影画像の照度を調整する。図９は、第二受信部１４で受信した送信信号をプロジェクター１内で分割する際の説明図である。図９に示すように、制御部１８は、第二受信部１４で受信した送信信号から、操作ボタン３１から出力された信号と、第一照度センサー３３から出力された信号とに分割し、前者を操作指示に用いるが、後者を使用せず第二照度センサー１５の検出結果を照度調整に用いる。これにより、プロジェクター１周辺の照度に基づいて投影部１２の照度が調整されることになる。その後、制御部１８は、調整後の照度を維持したままステップＳ７に移行する。
【００２３】
ステップＳ７では、制御部１８は、予め設定された所定時間中、プロジェクター１の電源がＯＦＦになったか否かを待機しながら判断し、その所定時間の間にＯＮした場合にはステップＳ２に移行し、その所定時間の間にＯＦＦした場合には終了する。
【００２４】
ステップＳ８では、制御部１８は、リモコン３からの送信信号を受信したか否かを判断し、受信した場合にはステップＳ９に移行し、受信していない場合にはステップＳ１１に移行する。
【００２５】
ステップＳ９では、制御部１８は、受信した送信信号に第一照度センサー３３の出力信号が含まれているか否かを判断し、含まれている場合にはステップＳ１０に移行し、含まれていない場合にはステップＳ１１に移行する。
【００２６】
ステップＳ１０では、制御部１８は、第一照度センサー３３の検出結果に基づいて投影部１２の光源の光量を調整することで、投影部１２による投影画像の照度を調整する。つまり、切替部１７により第二照度センサー１５が無効になっている場合には、リモコン３周辺の照度に基づいて投影部１２の照度が調整されることになる。その後、制御部１８は、調整後の照度を維持したままステップＳ１１に移行する。
【００２７】
ステップＳ１１では、制御部１８は、予め設定された所定時間中、プロジェクター１の電源がＯＦＦになったか否かを待機しながら判断し、その所定時間の間にＯＮした場合にはステップＳ８に移行し、その所定時間の間にＯＦＦした場合には終了する。
【００２８】
以上のように、本実施形態によれば、筐体１１の正面側（投影側）に配置された第一受信部１３で、リモコン３からの信号が受信された場合には、リモコン３の方がプロジェクター１よりもスクリーンＳ側に配置されていると判断し、リモコン３の第一照度センサー３３の検出結果に基づいて投影部１２の照度が調整されるので、プロジェクター１よりもスクリーンＳ側にあるリモコン３の周囲の照度を、投影部１２の照度調整に適用することができる。
一方、筐体１１の裏面側に配置された第二受信部１４で、リモコン３からの信号が受信された場合には、プロジェクター１の方がリモコン３よりもスクリーンＳ側に配置されていると判断し、プロジェクター１の第二照度センサー１５の検出結果に基づいて投影部１２の照度が調整されるので、リモコン３よりもスクリーンＳ側にあるプロジェクター１の周囲の照度を、投影部１２の照度調整に適用することができる。
このように、プロジェクター１よりもリモコン３の方がスクリーンＳに近い場合は、リモコン３の周囲の照度を投影部１２の照度調整に適用することができ、リモコン３よりもプロジェクター１の方がスクリーンＳに近い場合は、プロジェクター１の周囲の照度を投影部１２の照度調整に適用することができるので、極力スクリーンＳ近傍の環境に応じてプロジェクター１の明るさを調整することが可能となる。
【００２９】
また、リモコン３からの信号が第一受信部１３で受信されたにも関わらず、前記信号に第一照度センサー３３の検出結果が存在していない場合には、第二照度センサー１５の検出結果に基づいて投影部の照度が調整されるので、何らかの不都合でリモコン３側の照度が不明であってもプロジェクター１側の照度に基づいて投影部１２の照度を調整することができる。
【００３０】
また、切替部１７により第二照度センサー１５が無効になっている場合には、第一照度センサー３３の検出結果に基づいて投影部１２の照度が調整されるので、例えば第二照度センサー１５が覆われてしまう天吊り設置の場合には、予め切替部１７で第二照度センサー１５を無効にして、リモコン３側の照度に基づいて投影部１２の照度を調整することができる。
【００３１】
また、ケース部３４の一面であって操作ボタン３１と発信部３２との間に第一照度センサー３３が配置されているので、操作者が操作のためにリモコン３を把持したとしても第一照度センサー３３が手に覆われることを防止することができる。
なお、本発明は上記実施形態に限らず適宜変更可能である。
【００３２】
本発明のいくつかの実施形態を説明したが、本発明の技術的範囲には特許請求の範囲に記載された発明とその均等の範囲が含まれる。
以下に、本願出願の当初の特許請求の範囲に記載された発明を付記する。
【００３３】
〔付記〕
［請求項１］
周囲の照度を検出する第一照度センサーを有し、前記第一照度センサーの検出結果とともに操作指示を送信するリモコンで操作可能な投影装置であって、
画像を投影する投影部と、
前記リモコンからの信号を受信する第一受信部と、
前記リモコンからの信号を受信する第二受信部と、
前記第一受信部若しくは前記第二受信部で受信した信号に基づいて前記投影部を制御する制御部と、
前記投影部、前記第一受信部、前記第二受信部及び前記制御部を収容する筐体と、
前記筐体周辺の照度を検出する第二照度センサーとを備え、
前記第一受信部は前記筐体の、前記投影部によって画像を投影する側である投影側に配置されるとともに、前記第二受信部は前記筐体の前記投影側の反対側に配置されていて、
前記制御部は、
前記リモコンからの信号が前記第一受信部で受信された場合には、前記第一照度センサーの検出結果に基づいて前記投影部の照度を制御し、
前記リモコンからの信号が前記第二受信部で受信された場合には、前記第二照度センサーの検出結果に基づいて前記投影部の照度を制御することを特徴とする投影装置。
［請求項２］
請求項１記載の投影装置において、
前記制御部は、
前記リモコンからの信号が前記第一受信部で受信されたにも関わらず、前記信号に前記第一照度センサーの検出結果が存在していない場合には、前記第二照度センサーの検出結果に基づいて前記投影部の照度を制御することを特徴とする投影装置。
［請求項３］
請求項１又は２記載の投影装置において、
前記第二照度センサーを無効にする切替部を備え、
前記制御部は、
前記切替部により前記第二照度センサーが無効になっている場合には、前記第一照度センサーの検出結果に基づいて前記投影部の照度を制御することを特徴とする投影装置。
［請求項４］
リモコンと、前記リモコンで操作可能な投影装置とを備える投影システムにおいて、
前記リモコンは、当該リモコンの周囲の照度を検出する第一照度センサーを有し、前記第一照度センサーの検出結果とともに操作指示を送信し、
前記投影装置は、
画像を投影する投影部と、
前記リモコンからの信号を受信する第一受信部と、
前記リモコンからの信号を受信する第二受信部と、
前記第一受信部若しくは前記第二受信部で受信した信号に基づいて前記投影部を制御する制御部と、
前記投影部、前記第一受信部、前記第二受信部及び前記制御部を収容する筐体と、
前記筐体周辺の照度を検出する第二照度センサーとを備え、
前記第一受信部は前記筐体の、前記投影部によって画像を投影する側である投影側に配置されるとともに、前記第二受信部は前記筐体の前記投影側の反対側に配置されていて、
前記制御部は、
前記リモコンからの信号が前記第一受信部で受信された場合には、前記第一照度センサーの検出結果に基づいて前記投影部の照度を制御し、
前記リモコンからの信号が前記第二受信部で受信された場合には、前記第二照度センサーの検出結果に基づいて前記投影部の照度を制御することを特徴とする投影システム。
［請求項５］
請求項４記載の投影システムにおいて、
前記制御部は、
前記リモコンからの信号が前記第一受信部で受信されたにも関わらず、前記信号に前記第一照度センサーの検出結果が存在していない場合には、前記第二照度センサーの検出結果に基づいて前記投影部の照度を制御することを特徴とする投影システム。
［請求項６］
請求項４又は５記載の投影システムにおいて、
前記投影装置は、前記第二照度センサーの有効／無効を切り替える切替部を備え、
前記制御部は、
前記切替部により前記第二照度センサーが無効になっている場合には、前記第一照度センサーの検出結果に基づいて前記投影部の照度を制御することを特徴とする投影システム。
［請求項７］
請求項４〜６のいずれか一項に記載の投影システムにおいて、
前記リモコンは、
操作ボタンと、
前記操作ボタンが操作されたことに基づく信号を出力する発信部と、
前記操作ボタン及び前記発信部を格納するケース部とを備え、
前記操作ボタンは、前記ケース部の一面に配置されていて、
前記発信部は、前記ケース部の一端部に配置されていて、
前記第一照度センサーは、前記ケース部の一面であって、前記操作ボタンと前記発信部との間に配置されていることを特徴とする投影システム。
【符号の説明】
【００３４】
１      プロジェクター（投影装置）
３      リモコン
１１      筐体
１２      投影部
１３      第一受信部
１４      第二受信部
１５      第二照度センサー
１６      接続部
１７      切替部
１８      制御部
３１      操作ボタン
３２      発信部
３３      第一照度センサー
３４      ケース部
３５      制御部
１００      投影システム
２００      外部機器
Ｓ      スクリーン
【図１】
0006015046.tif 000002
【図２】
0006015046.tif 000003
【図３】
0006015046.tif 000004
【図４】
0006015046.tif 000005
【図５】
0006015046.tif 000006
【図６】
0006015046.tif 000007
【図７】
0006015046.tif 000008
【図８】
0006015046.tif 000009
【図９】
0006015046.tif 000010